(57)【要約】      （修正有）【課題】ユーザの生体データを取得して送信する生体データ取得装置と、生体データを受信して分析処理を行う複数の分析処理装置とがネットワークを介して接続された生体データ処理システムを提供する。【解決手段】生体データ処理システム１は、ユーザがトイレを利用する際に、生体データ取得装置２のセンサ部により当該ユーザの生体データを生成すると共に、個人識別センサにより当該ユーザを識別し、当該ユーザに対応付けられた送信先に当該生体データを送信する。このため生体データ処理システム１では、各ユーザから得られた生体データを、当該ユーザが契約している健康サポートサービスの分析処理装置３に送信して分析させることができ、得られた分析結果を当該ユーザに確認させると共に、医療機関サーバ装置５へ送信して保存させることができる。【選択図】図１
2019150139.tif 000002
【特許請求の範囲】
【請求項１】
ユーザの生体データを取得して送信する生体データ取得装置と、前記生体データを受信して分析処理を行う複数の分析処理装置とがネットワークを介して接続された生体データ処理システムであって、
前記生体データ取得装置は、
前記ユーザを識別して識別ユーザとする識別部と、
前記ユーザの前記生体データを取得するセンサ部と、
前記ユーザと対応付けて何れかの前記分析処理装置を送信先として記憶する記憶部と、
前記識別ユーザと対応付けられている前記送信先を取得する送信先取得部と、
前記送信先取得部により取得した前記送信先へ前記生体データを送信する通信部と
を具えることを特徴とする生体データ処理システム。
【請求項２】
前記分析処理装置は、前記生体データ取得装置から取得した前記生体データを分析して得られた本分析結果を前記生体データ取得装置へ送信し、
前記通信部は、前記分析処理装置から送信された前記本分析結果を受信し、
前記生体データ取得装置は、前記本分析結果を前記ユーザに提示する
ことを特徴とする請求項１に記載の生体データ処理システム。
【請求項３】
前記生体データ取得装置は、前記ユーザに情報を表示する表示部をさらに具え、前記分析処理装置から送信された前記本分析結果に基づく情報を前記表示部に表示させる
ことを特徴とする請求項２に記載の生体データ処理システム。
【請求項４】
前記センサ部は、トイレにおいて前記ユーザから排泄された排泄物から前記生体データを取得し、
前記生体データ取得装置は、前記ユーザにより前記トイレの使用が終了されたことを検知する使用終了検知部をさらに具え、当該使用終了検知部により前記トイレの使用が終了されたことを検知すると、前記本分析結果に基づく情報を前記表示部から消去する
ことを特徴とする請求項３に記載の生体データ処理システム。
【請求項５】
前記ネットワークに接続されたデータ保存装置
をさらに具え、
前記分析処理装置は、前記本分析結果を前記生体データ取得装置及び前記データ保存装置へ送信し、
前記データ保存装置は、前記分析処理装置から受信した前記本分析結果を保存する
ことを特徴とする請求項２に記載の生体データ処理システム。
【請求項６】
前記生体データ取得装置は、
前記センサ部により取得した前記生体データを分析する予備分析処理部
をさらに具え、
前記通信部は、前記予備分析処理部により得られた予備分析結果を前記生体データとして前記送信先へ送信する
ことを特徴とする請求項１に記載の生体データ処理システム。
【請求項７】
前記予備分析処理部は、前記生体データの値が所定の正常範囲に含まれるか否かを判定し、
前記通信部は、前記生体データの値が前記正常範囲外であった場合、所定の異常通報先に異常を通報する
ことを特徴とする請求項６に記載の生体データ処理システム。
【請求項８】
前記センサ部は、トイレにおいて前記ユーザから排泄された排泄物から前記生体データを取得する
ことを特徴とする請求項１に記載の生体データ処理システム。
【請求項９】
前記生体データ取得装置は、前記ユーザにより前記トイレの使用が開始されることを検知する使用開始検知部
をさらに具え、
前記センサ部は、前記使用開始検知部により前記トイレの使用が開始されることを検知すると、前記生体データの取得を開始する
ことを特徴とする請求項８に記載の生体データ処理システム。
【請求項１０】
前記生体データ取得装置は、前記ユーザにより前記トイレの使用が終了されたことを検知する使用終了検知部
をさらに具え、
前記センサ部は、前記使用終了検知部により前記トイレの使用が終了されたことを検知すると、前記生体データの取得を終了する
ことを特徴とする請求項８に記載の生体データ処理システム。
【請求項１１】
前記識別部は、前記使用終了検知部により前記トイレの使用が終了されたことを検知すると、前記識別ユーザの識別結果を消去する
ことを特徴とする請求項１０に記載の生体データ処理システム。
【請求項１２】
ユーザを識別して識別ユーザとする識別部と、
前記ユーザの生体データを取得するセンサ部と、
前記生体データを受信して分析処理を行う複数の分析処理装置うち何れかを、前記ユーザと対応付けて前記生体データの送信先として記憶する記憶部と、
前記識別ユーザと対応付けられている前記送信先を取得する送信先取得部と、
前記送信先取得部により取得した前記送信先へ前記生体データを送信する通信部と
を具えることを特徴とする生体データ取得装置。
【発明の詳細な説明】
【技術分野】
【０００１】
本発明は生体データ処理システム及び生体データ取得装置に関し、例えばユーザの生体データを取得して分析する生体データ処理システムに適用して好適なものである。
【背景技術】
【０００２】
従来、各個人の健康状態を確認するための仕組みとして、医療機関において各個人が受診する健康診断が広く行われている。しかしながらこの健康診断は、例えば年に１回等のように比較的低い頻度で行われるものであるため、各個人における日々の体調の変化等を察知することが難しい。
【０００３】
そこで、例えば利用者の自宅に利用者の生体データを取得するためのセンサ等を設け、当該センサ等によって取得した生体データを医療機関等に送信することにより、利用者の日常的な生体データに基づいた詳細な健康状態を把握する医療情報システムやこれを利用したサービスが提案されている（例えば、特許文献１参照）。
【先行技術文献】
【特許文献】
【０００４】
【特許文献１】特開２００１−２５８８５７号公報（図１等）
【発明の概要】
【発明が解決しようとする課題】
【０００５】
ところで、かかる構成の医療情報システムでは、例えば利用者の自宅におけるトイレに所定のセンサを設置し、該利用者の排泄物等から生体データを取得することが考えられる。また、例えば利用者の自宅に他の家族が同居しており、且つそれぞれの勤務先や通学している学校等の指定により、各家族が互いに異なるサービスを利用する場合も考えられる。
【０００６】
この場合、医療情報システムでは、トイレに設置されたセンサにより生体データを取得する度に、当該生体データが誰の生体データであり、また何れの医療情報システムに宛てて送信すべきであるかを、利用者やその家族にその都度指定させる必要があり、極めて煩雑である、という問題があった。換言すると、医療情報システムでは、トイレにおいて取得される生体データを、適切な送信先に適切に送信できない、という問題があった。
【０００７】
本発明は以上の点を考慮してなされたもので、利用者からそれぞれ得られる生体データを基に、各利用者にそれぞれ所望するサービスを容易に利用させ得る生体データ処理システム及び生体データ取得装置を提案しようとするものである。換言すると、本発明はトイレにおいて取得される生体データを、適切な送信先に適切に送信できる生体データ処理システム及び生体データ取得装置を提案しようとするものである。
【課題を解決するための手段】
【０００８】
かかる課題を解決するため本発明の生体データ処理システムにおいては、ユーザの生体データを取得して送信する生体データ取得装置と、生体データを受信して分析処理を行う複数の分析処理装置とがネットワークを介して接続された生体データ処理システムであって、生体データ取得装置は、ユーザを識別して識別ユーザとする識別部と、ユーザの生体データを取得するセンサ部と、ユーザと対応付けて何れかの分析処理装置を送信先として記憶する記憶部と、識別ユーザと対応付けられている送信先を取得する送信先取得部と、送信先取得部により取得した送信先へ生体データを送信する通信部とを設けるようにした。
【０００９】
また本発明の生体データ取得装置においては、ユーザを識別して識別ユーザとする識別部と、ユーザの生体データを取得するセンサ部と、生体データを受信して分析処理を行う複数の分析処理装置うち何れかを、ユーザと対応付けて生体データの送信先として記憶する記憶部と、識別ユーザと対応付けられている送信先を取得する送信先取得部と、送信先取得部により取得した送信先へ生体データを送信する通信部とを設けるようにした。
【００１０】
本発明では、生体データ取得装置がユーザから生体データを取得すると共に、当該ユーザを識別し、当該ユーザに予め対応付けられた送信先の分析処理装置へ当該生体データを送信する。これにより本発明では、生体データ取得装置が複数のユーザに使用され、且つユーザごとに生体データの送信先が異なる場合であっても、それぞれのユーザから取得したそれぞれの生体データを、それぞれの送信先へ適切に送信して分析させることができる。
【発明の効果】
【００１１】
本発明によれば、利用者からそれぞれ得られる生体データを基に、各利用者にそれぞれ所望するサービスを容易に利用させ得る生体データ処理システム及び生体データ取得装置を実現できる。換言すると、本発明によれば、トイレにおいて取得される生体データを、適切な送信先に適切に送信できる生体データ処理システム及び生体データ取得装置を実現できる。
【図面の簡単な説明】
【００１２】
【図１】生体データ処理システムの構成を示す略線図である。
【図２】生体データ取得装置の外観構成を示す略線図である。
【図３】生体データ取得装置の構成を示す略線的ブロック図である。
【図４】分析処理装置の構成を示す略線的ブロック図である。
【図５】医療機関サーバ装置の構成を示す略線的ブロック図である。
【図６】登録処理手順を示すフローチャートである。
【図７】個人情報データベースの構成を示す略線図である。
【図８】送信先情報データベースの構成を示す略線図である。
【図９】生体データ処理シーケンスを示す略線図である。
【図１０】生体データ取得送信処理手順を示すフローチャートである。
【図１１】分析結果提示処理手順を示すフローチャートである。
【発明を実施するための形態】
【００１３】
以下、発明を実施するための形態（以下実施の形態とする）について、図面を用いて説明する。
【００１４】
［１．生体データ処理システムの構成］
図１に示すように、本実施の形態による生体データ処理システム１は、ユーザの生体データを取得する複数の生体データ取得装置２と、当該生体データの分析処理を行う複数の分析処理装置３とが、ネットワーク４を介して相互に接続された構成となっている。
【００１５】
ネットワーク４は、例えばインターネット等であり、有線又は無線により接続された各機器の間でデータを送信し、又は受信することができる。このネットワーク４では、接続された各機器に一意のアドレスをそれぞれ割り当てており、送信元の機器において送信するデータに宛先のアドレスを指定することにより、当該データを宛先である機器に到達させることができる。
【００１６】
またネットワーク４には、所定の医療機関ＭＣに設置された医療機関サーバ装置５も接続されている。医療機関ＭＣは、例えば病院であり、医師等や看護師等により患者に対し種々の医療措置が行われる他、一般の利用者に対する健康診断も行われる。
【００１７】
この生体データ処理システム１では、分析処理装置３をそれぞれ運用する複数の事業者等により、複数の健康サポートサービスがそれぞれ提供されている。このため生体データ処理システム１では、ユーザが何れかの事業者を選択し、健康サポートサービスの提供に関する契約を締結するようになっている。
【００１８】
生体データ処理システム１では、ユーザと事業者の間で健康サポートサービスの提供に関する契約が結ばれると、当該ユーザの自宅等に設置された生体データ取得装置２により当該ユーザの生体データをそれぞれ取得して分析処理装置３へ送信させ、当該分析処理装置３において当該生体データの分析処理を行うようになっている。これに加えて生体データ処理システム１では、分析処理装置３により得られた分析結果を医療機関ＭＣの医療機関サーバ装置５へ送信して保存及び蓄積させるようになっている。
【００１９】
［１−１．生体データ取得装置の構成］
生体データ取得装置２は、例えば図２に示すように、住宅等のトイレ１０に設置されており、このトイレ１０を利用したユーザの排泄物等を基に生体データを生成し、これをネットワーク４経由で分析処理装置３へ送信するようになっている。
【００２０】
具体的に生体データ取得装置２は、例えば住宅のトイレ１０における壁面に取り付けられた本体部１１、トイレ１０の便器に取り付けられたセンサ部１２、トイレ１０のドアノブ等に組み込まれた個人識別センサ１３、及びトイレ１０の天井に取り付けられた人感センサ１４により構成されている。
【００２１】
図３に模式的なブロック構成を示すように、生体データ取得装置２は、バス２０を介して制御部２１、記憶部２２、通信部２３、表示操作部２４、メモリカード読取部２５、センサ部１２、個人識別センサ１３及び人感センサ１４が相互に接続された構成となっている。このうち制御部２１、記憶部２２及び通信部２３、表示操作部２４及びメモリカード読取部２５は、本体部１１に設けられている。
【００２２】
制御部２１は、生体データ取得装置２を統括的に制御しており、例えば図示しないＣＰＵ（Central Processing Unit）やＲＯＭ（Read Only Memory）及びＲＡＭ（Random Access Memory）等を有している。制御部２１は、ＣＰＵによりＲＯＭ等から所定のプログラムを読み出し、ＲＡＭをワークエリアとして使用しながら実行することにより、種々の処理を実行する。
【００２３】
例えば制御部２１は、所定の生体データ取得プログラムを読み出して実行することにより、通信制御部３１、表示制御部３２、センサ制御部３３、登録処理部３４、個人識別処理部３５、送信先決定部３６及び予備分析処理部３７といった複数の機能ブロックを形成する。このうち通信制御部３１、表示制御部３２及びセンサ制御部３３は、それぞれ通信部２３、表示操作部２４及びセンサ部１２をそれぞれ制御する。登録処理部３４、個人識別処理部３５、送信先決定部３６及び予備分析処理部３７については、それぞれ後述する。
【００２４】
記憶部２２は、例えばハードディスクドライブやフラッシュメモリ等のような不揮発性の情報記憶媒体であり、種々の情報を記憶する。また記憶部２２には、個人情報データベース４１及び送信先情報データベース４２といった２個のデータベース（ＤＢ）が設けられている。
【００２５】
通信部２３は、例えばＩＥＥＥ（Institute of Electrical and Electronics Engineers）８０２．３ｕ／ａｂ等の規格に準拠した有線ＬＡＮ（Local Area Network）、或いはＩＥＥＥ８０２．１１ａ／ｂ／ｇ／ｎ／ａｃ等の無線ＬＡＮに準拠したインタフェースとなっており、図示しないルータ等の情報通信機器を介してネットワーク４に接続される。
【００２６】
また通信部２３は、例えば４Ｇ（4th Generation）やＷｉＭＡＸ（登録商標）のような移動通信規格に準拠した通信インタフェース、若しくはＢｌｕｅｔｏｏｔｈ（登録商標）やＺｉｇＢｅｅ（登録商標）等の近距離無線通信規格に準拠した通信インタフェースとしての機能も有している。
【００２７】
この通信部２３は、制御部２１の通信制御部３１による制御の下で、該制御部２１から受け取った種々のデータに宛先等の情報を付加すると共に、パケット化や多重化処理、或いは変調処理等を施した上でネットワーク４へ送信する。また通信部２３は、通信制御部３１による制御の下で、ネットワーク４から受信した信号やパケット等に対して復調処理や逆多重化処理、或いは逆パケット化等の処理を施してデータを取り出し、これを制御部２１に引き渡す。
【００２８】
表示部としての表示操作部２４は、例えば液晶パネルのような表示パネルとタッチセンサとが一体化されたタッチパネルであり、本体部１１の表面に配置されている。表示操作部２４は、制御部２１における表示制御部３２の制御に基づき、文字や記号、或いは図形や画像等により種々の情報を表示する。また表示操作部２４は、タッチセンサによりユーザによるタッチ操作を検知すると、該ユーザから入力操作を受け付けたことを制御部２１に通知する。
【００２９】
例えば表示操作部２４は、種々の選択肢やボタン等が表示されたＧＵＩ（Graphical User Interface）形式のメニュー画面や入力画面等を表示し、選択肢やボタン等をユーザにタッチさせることにより、該ユーザにメニュー操作や情報の入力操作を行わせることができる。
【００３０】
メモリカード読取部２５は、所定の規格に準拠したメモリカードスロットであり、当該規格に準拠したメモリカードが装填されると、当該メモリカードからデータ等を読み出して制御部２１へ供給する。
【００３１】
センサ部１２は、種々の物理量を取得する１種類又は複数種類のセンサにより構成されている。このセンサ部１２は、制御部２１の制御に基づき、ユーザの排泄物、具体的には尿及び便等を計測してこれらの特性を表す物理量を取得し、この物理量に基づく種々のデータを生成して制御部２１へ供給する。
【００３２】
具体的にセンサ部１２は、例えば尿糖センサを有しており、尿中の糖を測定して尿糖データを生成する。またセンサ部１２は、例えば尿ｐＨセンサを有しており、尿のｐＨ（液中水素イオン濃度）や液性（酸性、中性又はアルカリ性）を測定してこれを表すデータを生成する。さらにセンサ部１２は、例えば便色センサを有しており、便の色（黒色系、赤色系又は灰色系）を測定してこれを表すデータを生成する。またセンサ部１２は、例えば排泄臭センサを有しており、排泄物（尿、便及び放屁等）の臭いに関わる成分を測定し、これらを表すデータを生成する。
【００３３】
個人識別センサ１３は、ユーザを個人別に識別するための識別データを取得するセンサであり、当該ユーザから得られた種々の物理量を基に個人識別データを生成し、これを制御部２１へ供給する。
【００３４】
具体的に個人識別センサ１３は、例えば指紋センサ５１を有している。この指紋センサ５１は、トイレ１０のドアノブに組み込まれており、トイレ１０を使用しようとするユーザが外部からドアを開いて内部へ入ろうとするときに、ドアノブに触れた手から指紋を取得し、この指紋を表す個人識別データを生成して制御部２１へ供給する。
【００３５】
また個人識別センサ１３は、例えば声紋センサ５２を有している。この声紋センサ５２は、例えば本体部１１に組み込まれたマイクロホン及び声紋検出処理部により構成されている。声紋センサ５２は、トイレ１０を使用するユーザが発声すると、その音声をマイクロホンにより音声信号に変換し、さらに声紋検出処理部によって音声信号から音素を抽出し、これに対応する声紋を検出して、この声紋を表す個人識別データを生成して制御部２１へ供給する。
【００３６】
使用開始検知部及び使用終了検知部としての人感センサ１４は、例えば赤外線や超音波等を利用してトイレ１０内にユーザがいるか否かを検出し、その検出結果を表す人感データを生成して制御部２１へ供給する。因みに人感センサ１４は、トイレ１０内に設けられた照明装置（図示せず）にも人感データを供給している。この照明装置は、ユーザがトイレ１０に入室してくると照明を点灯させ、該ユーザが退室した後に照明を消灯させるようになっている。
【００３７】
［１−２．分析処理装置及び医療機関サーバ装置の構成］
次に、分析処理装置３（図１）の構成について説明する。分析処理装置３は、例えばデータセンター等に設置された１台又は複数台のサーバ装置によって構成されており、クラウドとも呼ばれている。
【００３８】
図４に模式的なブロック構成を示すように、分析処理装置３は、バス６０を介して制御部６１、記憶部６２及び通信部６３が相互に接続された構成となっている。制御部６１は、生体データ取得装置２の制御部２１と同様、図示しないＣＰＵ、ＲＯＭ及びＲＡＭを有しており、記憶部６２から分析処理プログラムを読み出して実行することにより、通信制御部７１、本分析処理部７２及び統計データ処理部７３といった複数の機能ブロックを構成する。
【００３９】
このうち通信制御部７１は、生体データ取得装置２における制御部２１の通信制御部３１と同様、通信部６３を制御する。本分析処理部７２は、生体データ取得装置２から得られた生体データに対して所定の本分析処理を行い、分析結果を得る。統計データ処理部７３は、本分析処理部７２において得られた分析結果を基に、所定の統計処理を行うことにより統計データを生成する。この統計処理では、例えば生体データの種類ごとに平均値や標準偏差及び分散等の統計値がそれぞれ算出される。またこの統計処理では、ユーザの性別や年齢、或いは地域ごと等、各ユーザに関する様々な属性ごとに区分された上で、それぞれ統計値が算出される。
【００４０】
記憶部６２は、例えばハードディスクドライブやフラッシュメモリ等のような不揮発性の情報記憶媒体であり、種々のプログラムや種々のデータ等を記憶する。また記憶部６２には、生体データ取得装置２から送信された生体データを分析した結果である分析結果を記憶するための生体データ記憶部８１や、該生体データの分析結果を基に統計的処理を行った結果を記憶する統計データ記憶部８２等が設けられている。
【００４１】
通信部６３は、例えばＩＥＥＥ８０２．３ｕ／ａｂ／ａｎ／ａｅ等の有線ＬＡＮに準拠したインタフェースとなっており、図示しないルータ等の通信機器を介してネットワーク４に接続される。この通信部６３は、生体データ取得装置２の通信部２３と同様の処理を行う。具体的に通信部６３は、制御部６１の通信制御部７１による制御の下で、該制御部６１から受け取った種々のデータにパケット化や多重化処理、或いは変調処理等を施した上でネットワーク４へ送信する。また通信部６３は、通信制御部７１による制御の下で、ネットワーク４から受信した信号やパケット等に対して復調処理や逆多重化処理、或いは逆パケット化等の処理を施してデータを取り出し、これを制御部６１に引き渡す。
【００４２】
一方、データ保存装置としての医療機関サーバ装置５は、図５に模式的なブロック構成を示すように、バス９０を介して制御部９１、記憶部９２及び通信部９３が相互に接続された構成となっている。制御部９１は、生体データ取得装置２の制御部２１と同様、図示しないＣＰＵ、ＲＯＭ及びＲＡＭを有しており、記憶部９２から蓄積処理プログラム等のプログラムを読み出して実行することにより、蓄積処理等の種々の処理を実行する。
【００４３】
記憶部９２は、例えばハードディスクドライブやフラッシュメモリ等のような不揮発性の情報記憶媒体であり、種々のプログラムや種々のデータ等を記憶する。通信部９３は、例えばＩＥＥＥ８０２．３ｕ／ａｂ／ａｎ／ａｅ等の有線ＬＡＮに準拠したインタフェースとなっており、図示しないルータ等の通信機器を介してネットワーク４に接続される。この通信部９３は、生体データ取得装置２の通信部２３や分析処理装置３の通信部６３と同様の処理を行う。
【００４４】
［２．登録処理］
ところで生体データ取得装置２では、各ユーザからの生体データの取得を開始する前に、当該ユーザに関する種々の情報を予め登録するようになっている。そこで以下では、生体データ取得装置２によるユーザに関する情報を登録する登録処理手順について、図６のフローチャートを参照しながら説明する。
【００４５】
ただしここでは、予めユーザと事業者との間で、健康サポートサービスの提供に関する契約を完了しているものとする。またこの場合、ユーザは、事業者から該ユーザに割り当てられた一意のユーザ名や、分析処理装置３（図１）のアドレス等のような種々の情報が格納されたメモリカードを受け取っているものとする。
【００４６】
生体データ取得装置２の制御部２１（図３）は、表示操作部２４に表示した所定のメニュー画面を利用して、ユーザにより登録処理を開始する操作指示がなされると、登録処理手順ＲＴ１（図６）を開始してステップＳＰ１に移る。ステップＳＰ１において制御部２１は、表示操作部２４に「ユーザ名及びパスワードを入力してください」といったメッセージ及び所定の文字入力画面を表示することにより、ユーザにユーザ名及びパスワードの入力を依頼し、次のステップＳＰ２へ移る。因みにここで入力されるユーザ名及びパスワードは、当該生体データ取得装置２において各ユーザを識別するための情報であり、健康サポートサービスの利用に用いられるユーザ名及びパスワードとは別に設定される。
【００４７】
ステップＳＰ２において制御部２１は、登録処理部３４（図３）により、ユーザに入力されたユーザ名及びパスワードを、記憶部２２の個人情報データベース４１に格納して、次のステップＳＰ３へ移る。この個人情報データベース４１は、図７に示すように、一意の管理ＩＤと対応付けて、ユーザ名及びパスワードを記憶するようになっており、ユーザに入力されたユーザ名及びパスワードがそれぞれ格納される。
【００４８】
ステップＳＰ３において制御部２１は、表示操作部２４に所定の認証手段指定画面を表示させることにより、ユーザに対し、トイレ１０の使用時に個人認証に用いる手段を指定するように依頼して、次のステップＳＰ４へ移る。ここで個人認証に使用可能な手段としては、例えば「指紋」及び「声紋」が用意されており、それぞれについて使用するか否かをユーザに指定させるようになっている。
【００４９】
これらの手段のうち「指紋」は、トイレ１０のドアノブに設けられた指紋センサ５１を使用してユーザの指紋を検出して認証を行うことを意味する。「声紋」は、ユーザが発する音声を声紋センサ５２内のマイクロホンにより集音し、得られた音声から声紋を検出して認証を行うことを意味する。因みに、ユーザにより「指紋」及び「声紋」の何れも指定されなかった場合、ステップＳＰ１と同様に、該ユーザにトイレ１０を使用する際にユーザ名及びパスワードを入力させて認証を行うことを意味する。
【００５０】
ステップＳＰ４において制御部２１は、ユーザにより「指紋」が指定されたか否かを判定する。ここで否定結果が得られると、制御部２１は指紋登録処理を行うこと無く、次のステップＳＰ６へ移る。また制御部２１は、ステップＳＰ４において肯定結果が得られると、次のステップＳＰ５へ移って指紋登録処理を行い、その次のステップＳＰ６へ移る。
【００５１】
ステップＳＰ５の指紋登録処理において、制御部２１は、例えば表示操作部２４に「ドアノブの指紋センサに指先を触れてください」といったメッセージを表示してユーザに指先を指紋センサ５１（図２）に触れさせるように促す。続いて制御部２１は、指紋センサ５１によりユーザの指紋を基に生成された指紋データを取得する。さらに制御部２１は、登録処理部３４（図３）により、該指紋データを識別データとして所定のファイル名を付して記憶部２２（図３）に格納すると共に、個人情報データベース４１（図７）に当該ユーザの管理ＩＤ等と対応付けて当該ファイル名を登録する。
【００５２】
ステップＳＰ６において制御部２１は、ユーザにより「声紋」が指定された否かを判定する。ここで否定結果が得られると、制御部２１は指紋登録処理を行うこと無く次のステップＳＰ８へ移る。また制御部２１は、ステップＳＰ６において肯定結果が得られると、次のステップＳＰ７へ移って声紋登録処理を行い、その次のステップＳＰ８へ移る。
【００５３】
ステップＳＰ７の声紋登録処理において、制御部２１は、例えば表示操作部２４に「ご自分の名前を発声してください」といったメッセージを表示してユーザに自身の名前を発声させるように促す。続いて制御部２１は、声紋センサ５２のマイクロホンによりユーザの音声を集音し声紋検出処理部により声紋を検出して声紋データを生成する。さらに制御部２１は、登録処理部３４（図３）により、該声紋データを識別データとして所定のファイル名を付して記憶部２２（図３）に格納すると共に、個人情報データベース４１（図７）に当該ユーザの管理ＩＤ等と対応付けて当該ファイル名を登録する。
【００５４】
ステップＳＰ８において制御部２１は、表示操作部２４に「契約時に渡されたメモリカードを挿入してください」といったメッセージを表示することにより、メモリカード読取部２５にメモリカードを挿入するように依頼し、次のステップＳＰ９へ移る。
【００５５】
ステップＳＰ９において制御部２１は、メモリカードから健康サポートサービスに関する各種情報を読み出し、登録処理部３４（図３）により、図８に示す送信先情報データベース４２にそれぞれ登録する。具体的に制御部２１は、メモリカードから健康サポートサービスのユーザＩＤ及びパスワード、並びに生体データの送信先を表すアドレス、具体的にはＵＲＬ（Uniform Resource Locator）等の各種情報を読み出してそれぞれ登録する。またこのとき制御部２１は、ステップＳＰ２において当該ユーザに割り当てた管理ＩＤと同一の管理ＩＤに対応付けて、各種情報を登録する。その後、制御部２１は、次のステップＳＰ１０へ移って登録処理手順ＲＴ１を終了する。
【００５６】
［３．生体データ処理シーケンス］
次に、生体データ処理システム１（図１）においてユーザの生体データを取得すると共にこれを分析し、さらに必要な通知先に通知する生体データ処理シーケンスについて、図９のシーケンスチャートを参照しながら説明する。
【００５７】
まず生体データ取得装置２（図２及び図３）は、ルーチンＲＴ２を開始すると、最初のステップＳＰ２１へ移る。ステップＳＰ２１において生体データ取得装置２は、後述する生体データ取得送信処理を行うことにより、ユーザから生体データを取得すると共にこれを分析処理装置３へ送信して、その次のステップＳＰ２２へ移る。
【００５８】
一方、分析処理装置３（図４）は、ルーチンＲＴ３を開始すると、生体データ取得装置２から生体データが送信されるのを待ち受けており、該生体データを受信するとステップＳＰ３１へ移る。このステップＳＰ３１において分析処理装置３は、本分析処理部７２により生体データの本分析処理を行い、分析結果を得た上で次のステップＳＰ３２へ移る。またこのとき分析処理装置３は、統計データ処理部７３により、分析結果を用いて統計データの値を更新する。
【００５９】
ステップＳＰ３２において分析処理装置３は、得られた分析結果（すなわち本分析結果）を生体データ取得装置２及び医療機関サーバ装置５へそれぞれ送信した後、次のステップＳＰ３３へ移ってルーチンＲＴ３を終了する。
【００６０】
これに応じて生体データ取得装置２は、後述する分析結果提示処理を行うことにより、分析処理装置３から取得した分析結果をユーザに提示した後、その次のステップＳＰ２３へ移ってルーチンＲＴ２を終了する。
【００６１】
また医療機関サーバ装置５（図５）は、ルーチンＲＴ４を開始すると、分析処理装置３から分析結果が送信されるのを待ち受けており、該分析結果を受信するとステップＳＰ４１へ移る。ステップＳＰ４１において医療機関サーバ装置５は、分析処理装置３から取得した分析結果を記憶部９２に記憶させる。このとき医療機関サーバ装置５は、分析データと共にユーザ名等の情報も取得しており、この分析結果をユーザ名等と対応付けて保存する。その後、医療機関サーバ装置５は、次のステップＳＰ４２へ移ってルーチンＲＴ４を終了する。
【００６２】
［３−１．生体データ取得送信処理］
次に、ステップＳＰ２１（図９）において生体データ取得装置２によりユーザから生体データを取得して送信する生体データ取得送信処理手順について、図１０のフローチャートを参照しながら説明する。生体データ取得装置２の制御部２１は、電源が投入されると生体データ取得送信処理手順ＲＴ５を開始して最初のステップＳＰ５１へ移る。
【００６３】
ステップＳＰ５１において制御部２１は、人感センサ１４（図２及び図３）から得られる検出結果を基に、トイレ１０（図２）にユーザが入室したか否かを判定する。ここで否定結果が得られると、制御部２１はこのステップＳＰ５１を繰り返すことにより、ユーザの入室を待ち受ける。一方、ステップＳＰ５１において肯定結果が得られると、制御部２１は次のステップＳＰ５２へ移る。
【００６４】
ステップＳＰ５２において制御部２１は、ユーザから個人を識別するための識別データ（以下これを取得識別データと呼ぶ）を取得して次のステップＳＰ５３へ移る。具体的に制御部２１は、まず指紋センサ５１により当該ユーザの指紋から指紋データを生成させ、これを識別データとして取得する。また制御部２１は、声紋センサ５２により当該ユーザの音声を基に声紋データを生成させ、これを識別データとして取得する。
【００６５】
ステップＳＰ５３において制御部２１は、個人識別処理部３５により、個人情報データベース４１（図７）から読み出した識別データ（以下これを登録識別データと呼ぶ）と取得識別データとを照合することによりユーザを識別し、次のステップＳＰ５４へ移る。以下では、このとき識別されたユーザを識別ユーザとも呼ぶ。
【００６６】
具体的に制御部２１は、例えば取得識別データのうち指紋データと、個人情報データベース４１に登録されている各指紋データ（すなわち登録識別データ）とを順次照合し、一致すると判断し得る指紋データがあった場合に、当該指紋データと対応付けられている管理ＩＤを当該ユーザの管理ＩＤとして特定する。また制御部２１は、声紋データについても同様に照合し、当該ユーザの管理ＩＤを特定する。因みに制御部２１は、取得識別データを用いてユーザを識別できなかった場合、表示操作部２４に所定の入力画面を表示してユーザ名及びパスワードの入力を促し、入力されたユーザ名及びパスワードを用いて当該ユーザの管理ＩＤを特定する。また制御部２１は、ここで特定した管理ＩＤを内部のＲＡＭ（図示せず）等に保持する。
【００６７】
ステップＳＰ５４において制御部２１は、センサ部１２の各センサにより、ユーザの排泄物から生体データを取得して、次のステップＳＰ５５へ移る。ステップＳＰ５５において制御部２１は、予備分析処理部３７（図３）により、得られた各生体データに対して所定の予備分析処理を行い、次のステップＳＰ５６へ移る。
【００６８】
ステップＳＰ５６において制御部２１は、生体データの予備分析結果を所定の閾値と比較することにより、異常があるか否かを判定する。ここで、閾値は予備分析結果の正常範囲から大きく離れた値に設定されている。このため、このステップＳＰ５６において肯定結果が得られると、このことは予備分析結果が正常範囲から大きく逸脱しているため、ユーザの健康状態に関して緊急性を要するような問題が生じている可能性が高いことを表している。このとき制御部２１は、次のステップＳＰ５７へ移る。
【００６９】
ステップＳＰ５７において制御部２１は、通信制御部３１（図３）によって通信部２３を制御することにより、所定の異常通報先、例えば救急搬送の要請を行うための電話番号（例えば日本国であれば１１９等）に通報を行い、その次のステップＳＰ５８へ移る。
【００７０】
一方、ステップＳＰ５６において否定結果が得られると、このことは生体データの予備分析結果に緊急性を要するような異常がないため、異常通報を行う必要が無いことを表している。このとき制御部２１は、次のステップＳＰ５８へ移る。
【００７１】
ステップＳＰ５８において制御部２１は、ステップＳＰ５３において識別したユーザの管理ＩＤを基に、送信先決定部３６（図３）により、送信先情報データベース４２（図８）から当該管理ＩＤと対応付けられた送信先並びにユーザ名及びパスワードを読み出し、次のステップＳＰ５９へ移る。
【００７２】
ステップＳＰ５９において制御部２１は、当該ユーザから得られた生体データの予備分析結果を、ステップＳＰ５８において読み出した送信先、すなわち当該ユーザが契約している健康サポートサービスの分析処理装置３（図１）に宛てて送信する。このとき制御部２１は、送信先情報データベース４２から読み出したユーザ名及びパスワードを用いることにより、分析処理装置３に対してログオン処理を行った上で、当該ユーザ名に対応した生体データとして、予備分析結果を送信する。その後、制御部２１は、次のステップＳＰ６０へ移って生体データ取得送信処理手順ＲＴ５を終了する。
【００７３】
［３−２．分析結果提示処理］
次に、ステップＳＰ２２（図９）において生体データ取得装置２により分析結果をユーザに提示する分析結果提示処理手順について、図１１のフローチャートを参照しながら説明する。生体データ取得装置２の制御部２１は、ステップＳＰ２１を終了すると、分析結果提示処理手順ＲＴ６（図１１）を開始して最初のステップＳＰ７１へ移る。
【００７４】
ステップＳＰ７１において制御部２１は、分析処理装置３から本分析結果を受信したか否かを判定する。ここで否定結果が得られると、制御部２１はこのステップＳＰ７１を繰り返すことにより、分析処理装置３からの本分析結果の受信を待ち受ける。
【００７５】
一方、ステップＳＰ７１において肯定結果が得られると、制御部２１は次のステップＳＰ７２へ移る。ステップＳＰ７２において制御部２１は、表示操作部２４に所定の本分析結果表示画面を表示することによりユーザに本分析結果を提示して、次のステップＳＰ７３へ移る。
【００７６】
ステップＳＰ７３において制御部２１は、人感センサ１４（図２及び図３）から得られる検出結果を基に、トイレ１０（図２）からユーザが退室したか否かを判定する。ここで否定結果が得られると、制御部２１はこのステップＳＰ７３を繰り返すことにより、ユーザの退室を待ち受ける。一方、ステップＳＰ７３において肯定結果が得られると、このことは、本分析結果の表示が不要となると共に、次のユーザがトイレ１０を使用する場合に備える必要があることを表している。このとき制御部２１は次のステップＳＰ７４へ移る。
【００７７】
ステップＳＰ７４において制御部２１は、ステップＳＰ５３（図１０）におけるユーザの識別結果をリセットする。具体的に制御部２１は、ステップＳＰ５３において識別し内部のＲＡＭに保持しているユーザの管理ＩＤを消去し、次のステップＳＰ７５へ移る。
【００７８】
ステップＳＰ７５において制御部２１は、表示操作部２４に表示していた本分析結果を消去すると共に、内部のＲＡＭ等に一時的に記憶していた本分析結果も消去する。その後、制御部２１は、次のステップＳＰ７６へ移って分析結果提示処理手順ＲＴ６を終了する。
【００７９】
［４．効果等］
以上の構成において、本実施の形態による生体データ処理システム１の生体データ取得装置２は、ユーザがトイレ１０を利用すると、センサ部１２により当該ユーザの生体データを生成する。これと共に生体データ取得装置２は、個人識別センサ１３により当該ユーザを識別し、当該ユーザに対応付けられた送信先を読み出し、当該送信先に宛てて生体データを送信する。
【００８０】
このため生体データ処理システム１では、複数の事業者により複数の健康サポートサービスが提供される状況の下で、各ユーザに煩わしい操作をさせること無く、当該ユーザから得られた生体データを、当該ユーザが契約している健康サポートサービスの分析処理装置３に送信して分析させることができる。
【００８１】
特に生体データ取得装置２は、個人識別センサ１３によりユーザの指紋や声紋を基に識別するため、トイレ１０を使用する当該ユーザに対して、ユーザ名やパスワードを入力するといった煩わしい操作を行わせる必要が無い。
【００８２】
また生体データ取得装置２は、トイレ１０を使用中のユーザに対し、当該トイレ１０から退出する前に、分析処理装置３において生体データを分析して得られた本分析結果を直ちに表示操作部２４に表示して視認させる（図１１、ステップＳＰ７２）。このため生体データ処理システム１では、例えば１年に１回行われる健康診断のような低頻度の機会ではなく、日常的にトイレ１０を使用したときに、ユーザの現在の健康状態に関する情報を直ちに認識させることができる。これにより生体データ処理システム１では、ユーザに対し、日常的に健康に気を配った生活を送るように促すことができる。
【００８３】
さらに分析処理装置３は、ユーザの生体データを基に得られた本分析結果を、医療機関ＭＣの医療機関サーバ装置５へ送信して保存させる（図９、ステップＳＰ４１）。これにより生体データ処理システム１では、１年に１回のような頻度で行われる健康診断において、ユーザから日常的に取得されて蓄積された多くの生体データを利用できるので、該健康診断において得られた専門的な検査項目の結果と組み合わせて、精度の高い診断を行わせることができる。
【００８４】
また別の観点から見ると、生体データ取得装置２は、取得した生体データを分析処理装置３へ送信し、当該分析処理装置３により当該生体データを分析して得られた本分析結果を取得する。このため生体データ処理システム１では、生体データ取得装置２に高い演算処理能力を持たせる必要が無く、制御部２１や記憶部２２を比較的簡素な構成としてコストの低廉化を図ることができる。
【００８５】
その一方で生体データ取得装置２は、制御部２１の予備分析処理部３７（図３）により、生体データの予備分析処理を行うようにした（図１０、ステップＳＰ５５）。これにより生体データ処理システム１では、処理負荷が比較的小さい予備分析処理を生体データ取得装置２側に分担させ、処理負荷が比較的大きい本分析処理を分析処理装置３に分担させることができ、それぞれの演算処理能力に応じて処理負荷を適正に分配することができる。
【００８６】
さらに生体データ取得装置２は、予備分析処理の結果を所定の閾値と比較することにより異常の有無を判定し、異常があった場合には異常通報処理を行う（図１０、ステップＳＰ５６及びＳＰ５７）。これにより生体データ処理システム１では、分析処理装置３による本分析処理の結果が得られるまで待つ必要なく、必要な場合に直ちに緊急の通報処理を行うことができる。
【００８７】
そのうえ分析処理装置３では、各ユーザから得られた生体データに本分析処理を行い、得られた分析結果を基に、統計データ処理部７３（図４）により統計データを更新して統計データ記憶部８２に記憶させる。これにより生体データ処理システム１では、各ユーザの生体データから得られた本分析結果を最新の統計データと比較することができ、例えば流行し始めた病気の初期症状などを有効に判断することも可能となる。
【００８８】
これに加えて生体データ取得装置２では、個人識別センサ１３として、指紋センサ５１及び声紋センサ５２といった複数種類のセンサを設けた（図２及び図３）。このため生体データ取得装置２では、例えばユーザが指先を負傷して包袋等が巻かれており、指紋を読み取り得ないような状況であっても、声紋により識別させることができる。
【００８９】
また生体データ取得装置２では、登録処理において健康サポートサービスのユーザＩＤや生体データの送信先である分析処理装置３のＵＲＬ等を、メモリカード読取部２５（図３）によりメモリカードから読み取るようにした。このため生体データ取得装置２では、ユーザにＵＲＬのような複雑且つ長い文字列を入力させる手間を省略でき、またユーザＩＤやＵＲＬの誤入力により分析処理装置３において生体データを分析できない、といった問題の発生も未然に防止できる。
【００９０】
以上の構成によれば、生体データ処理システム１は、ユーザがトイレ１０を利用する際に、生体データ取得装置２のセンサ部１２により当該ユーザの生体データを生成すると共に、個人識別センサ１３により当該ユーザを識別し、当該ユーザに対応付けられた送信先に当該生体データを送信する。このため生体データ処理システム１では、各ユーザから得られた生体データを、当該ユーザが契約している健康サポートサービスの分析処理装置３に送信して分析させることができ、得られた分析結果を当該ユーザに確認させると共に、医療機関サーバ装置５へ送信して保存させることができる。
【００９１】
［５．他の実施の形態］
なお上述した実施の形態においては、生体データ取得装置２の個人識別センサ１３として指紋センサ５１及び声紋センサ５２を設ける場合について述べた（図２及び図３）。しかしながら本発明はこれに限らず、他の種々のセンサや識別装置等を用いても良い。例えば、ユーザが発声した音声をマイクロホンにより集音した上で、その内容を文字に置換し、当該文字をパスワードのように照合する音声情報識別処理を行っても良い。この場合、例えば個人情報データベース４１に文字データ（すなわち登録識別データ）を登録しておくことにより、制御部２１は、音声情報識別処理により文字（マイクロホンにより集音した音声を置換した文字）を用いて個人情報データベース４１を参照し、ユーザの管理ＩＤを特定できる。
【００９２】
また、例えばユーザの目の虹彩のパターンを用いる虹彩識別処理や網膜のパターンを用いる網膜識別処理を行っても良い。この場合、例えば個人情報データベース４１に虹彩データ（すなわち登録識別データ）を登録しておくことにより、制御部２１は、虹彩のパターン（虹彩識別処理により得られる虹彩のパターン）を用いて個人情報データベース４１を参照し、ユーザの管理ＩＤを特定できる。また、例えば個人情報データベース４１に網膜データ（すなわち登録識別データ）を登録しておくことにより、制御部２１は、網膜のパターン（網膜識別処理により得られる網膜のパターン）を用いて個人情報データベース４１を参照し、ユーザの管理ＩＤを特定できる。
【００９３】
或いは、ユーザの指先や手の平等における静脈のパターンを用いる静脈識別処理を行っても良い。この場合、例えば個人情報データベース４１に静脈データ（すなわち登録識別データ）を登録しておくことにより、制御部２１は、静脈のパターン（静脈識別処理により得られる静脈のパターン）を用いて個人情報データベース４１を参照し、ユーザの管理ＩＤを特定できる。さらには、これらの識別処理を適宜組み合わせても良い。
【００９４】
その他にも、ユーザの身体的な特徴を利用するものに限らず、例えば各ユーザにそれぞれ異なるＩＤタグ等を持たせ、このＩＤタグを基に各ユーザを識別しても良い。この場合、ＩＤタグとしては、例えばＲＦＩＤを用い、近距離無線通信を利用して情報を読み取るものや、１次元や２次元のコードを用い、画像解析を利用して情報を読み取るもの等を使用することができる。要は、トイレ１０を利用するユーザにできるだけ負担をかけることなく、当該ユーザを識別することができれば良い。
【００９５】
さらに上述した実施の形態においては、登録処理手順ＲＴ１（図６）において指紋データを１個のみ生成し、これを識別データとして登録する場合について述べた。しかしながら本発明はこれに限らず、例えばユーザの複数の指についてそれぞれ指紋データを生成し、これらをそれぞれ識別データとして登録しても良い。
【００９６】
また上述した実施の形態においては、登録処理手順ＲＴ１（図６）において声紋データを生成する際にユーザの名前を発声させる場合について述べた。しかしながら本発明はこれに限らず、例えば声紋を検出しやすい特定の語や、或いはユーザが発声しやすい任意の語など、様々な語を発声させ、これを基に声紋データを生成して識別データとして登録しても良い。
【００９７】
さらに上述した実施の形態においては、ユーザを識別する手段として指紋及び声紋をそれぞれ使用するか否かを該ユーザ自身に指定させる場合について述べた（図６、ステップＳＰ３）。しかしながら本発明はこれに限らず、例えば指紋及び声紋の少なくとも一方若しくは双方を必須としても良い。また、個人情報データベース４１に登録する指紋データ等については、個人識別センサ１３（図３）を用いて取得したものに限らず、例えば他の指紋センサ等を用いて予め取得された指紋データを、メモリカード等を介して取得して登録しても良い。
【００９８】
さらに上述した実施の形態においては、個人情報データベース４１（図７）にユーザ名及びパスワードを登録する場合について述べた。しかしながら本発明はこれに限らず、例えば健康サポートサービスのユーザ名及びパスワードを代用しても良く、或いは個人情報データベース４１にユーザ名及びパスワードを登録しないようにしても良い。要は、ユーザを識別した場合に、管理ＩＤを介する等して、該ユーザの生体データの送信先を読み出すことができれば良い。
【００９９】
さらに上述した実施の形態においては、生体データ取得送信処理手順ＲＴ５（図１０）においてユーザを識別し、当該ユーザに対応付けられた送信先（すなわち分析処理装置３）に生体データ（予備分析結果）を送信して本分析処理を行わせる場合について述べた。しかしながら本発明はこれに限らず、例えばユーザを識別できなかった場合に、予め設定された送信先に生体データを送信しても良く、或いは生体データ取得装置２において予備分析処理のみを行い、得られた予備分析結果を表示操作部２４に表示しても良い。
【０１００】
さらに上述した実施の形態においては、センサ部１２が尿糖センサ、尿ｐＨセンサ、便色センサ及び排泄臭センサを有する場合について述べた。しかしながら本発明はこれに限らず、例えばこれらのセンサの一部のみを有しても良く、或いはこれらに加えて、若しくはこれらに代えて、他のセンサを有しても良い。要は、ユーザの排泄物を基に、当該ユーザの健康状態を把握するのに有用な生体データを取得できれば良い。さらにセンサ部１２は、例えばユーザの体温や脈拍数、或いは体重等、排泄物に基づくことなく該ユーザの生体データを取得するセンサを有しても良い。
【０１０１】
さらに上述した実施の形態においては、分析処理装置３へ生体データを送信する場合に、生体データ取得装置２がユーザ名及びパスワードを用いて当該分析処理装置３にログオン処理を行い、ログオンした状態で生体データを送信する場合について述べた（図１０、ステップＳＰ５８及びＳＰ５９）。しかしながら本発明はこれに限らず、例えば生体データ取得装置２により生体データを含む電子メールを生成し、これを分析処理装置３へ宛てて送信しても良い。この場合、例えば電子メールの生成に必要な宛先やタイトル、及びメール本文に含めるべき文字列（例えばユーザ名）等の情報を送信先情報データベース４２（図８）に登録しておけば良い。またこの場合、当該電子メールを受信した分析処理装置３は、当該電子メールを解析することにより生体データを取得し、これを基に本分析処理を行えば良い。
【０１０２】
さらに上述した実施の形態においては、生体データ取得装置２において予備分析処理を行い、これにより得られた予備分析データを分析処理装置３へ送信して本分析処理を行う場合について述べた。しかしながら本発明はこれに限らず、例えば生体データ取得装置２において予備分析処理を行わず、生体データを分析処理装置３へ送信することにより、当該分析処理装置３において全ての分析処理を行うようにしても良い。この場合、例えば生体データ取得装置２において複数種類の生体データをまとめて圧縮処理等を施した圧縮データ送信し、分析処理装置３において当該圧縮データを復元（解凍）しても良い。
【０１０３】
さらに上述した実施の形態においては、生体データ取得送信処理手順ＲＴ５（図１０）において、予備分析データに異常があったときに緊急通報処理を行う場合について述べた（ステップＳＰ５６及びＳＰ５７）。しかしながら本発明はこれに限らず、例えば異常か否かを判定する閾値を正常範囲から比較的近い値に設定し、予備分析データが当該閾値を超えた場合に、医療機関ＭＣに宛てて異常を通知し、当該医療機関ＭＣの医師等に予備分析データに基づく対処を行わせるようにしても良い。或いは、生体データ取得装置２において予備分析データについて異常の有無を判定せず、緊急通報処理のような対処を行わないようにしても良い。
【０１０４】
さらに上述した実施の形態においては、登録処理においてメモリカードから健康サポートサービスのユーザＩＤ及びパスワード、並びに生体データの送信先を表すアドレス等を読み出して送信先情報データベース４２（図８）に登録する場合について述べた（図６、ステップＳＰ９）。しかしながら本発明はこれに限らず、例えば分析処理装置３からネットワーク４を介して生体データ取得装置２へアドレス等の情報を送信して登録させても良い。或いは、例えば本体部１１（図２）に撮像用のカメラを設け、アドレス等の情報を表す２次元コード等を読み取らせて、或いはアドレス等を表す文字列から文字認識処理により各文字を認識させて、これらを登録させても良い。若しくは、登録処理手順ＲＴ１のステップＳＰ１（図６）等と同様、表示操作部２４にキーボードを表示してユーザにアドレス等の情報を入力させても良い。
【０１０５】
さらに上述した実施の形態においては、生体データ取得送信処理手順ＲＴ５（図１０）のステップＳＰ５１において、人感センサ１４の検出結果を基にユーザがトイレ１０に入室したか否かを判定する場合について述べた。しかしながら本発明はこれに限らず、例えばユーザによりトイレ１０のドアノブが回動操作されたことや該トイレ１０のドアが開閉されたこと、トイレのドアが施錠されたこと、或いはトイレ１０に設けられた照明のスイッチが操作されたことや、便座の蓋（便ぶた）が開かれたこと等、ユーザによる種々の動作を基に、該ユーザがトイレ１０に入室したと判断しても良い。或いは、例えば表示操作部２４に所定の操作ボタンを表示し、或いは本体部１１に所定の操作ボタンを設けて、これらの操作ボタンをユーザに操作させることにより、当該ユーザがトイレ１０に入室したことを検知しても良い。
【０１０６】
さらに上述した実施の形態においては、タッチパネルでなる表示操作部２４により情報を表示すると共にユーザの操作入力を受け付ける場合について述べた。しかしながら本発明はこれに限らず、例えば情報の表示のみを行う表示パネル等でなる表示部を設けると共に、これとは別にユーザの操作入力を受け付ける操作ボタン等でなる操作部を設けても良い。
【０１０７】
さらに上述した実施の形態においては、分析結果提示処理手順ＲＴ６（図１１）のステップＳＰ７２において、本体部１１に設けた表示操作部２４に本分析結果を表示することにより、当該ユーザに本分析結果を提示する場合について述べた。しかしながら本発明はこれに限らず、例えば本体部１１にスピーカを設け、音声により本分析結果を読み上げるようにしてユーザに伝達しても良く、或いは予め登録された当該ユーザのメールアドレスに宛てて本分析結果を表す電子メールを送信しても良い。これらの場合、表示操作部２４を省略しても良い。
【０１０８】
さらに上述した実施の形態においては、分析結果提示処理手順ＲＴ６（図１１）のステップＳＰ７３において、人感センサ１４によりユーザがトイレ１０を退室したことを検知したことをトリガとして、ユーザの識別結果を消去し、また本分析結果の表示を終了する場合について述べた。しかしながら本発明はこれに限らず、例えばユーザにより便器の洗浄操作がされたことや、トイレのドアが解錠されたこと、本分析結果の表示開始から所定時間（例えば３０秒等）が経過したこと等をトリガとして、ユーザの識別結果の消去等を行うようにしても良い。或いは、例えばステップＳＰ７２において表示操作部２４に本分析結果を表示する際に、表示画面に消去ボタンを表示しておき、ユーザにより当該消去ボタンが操作されるとユーザの識別結果の消去等を行うようにしても良い。またユーザの識別結果については、例えば生体データ取得送信処理手順ＲＴ５（図１０）のステップＳＰ５９において分析処理装置３へ予備分析データを送信し終えた時点等、他の時点で消去しても良い。
【０１０９】
さらに上述した実施の形態においては、分析処理装置３により得られた本分析結果を医療機関サーバ装置５へ送信して保存させる場合について述べた（図９）。しかしながら本発明はこれに限らず、例えば分析処理装置３により得られた本分析結果を該分析処理装置３の記憶部６２（図４）等、他の装置に記憶させるようにしても良い。この場合、例えばユーザが健康診断を受診する場合に、該健康診断を行う医師等が分析処理装置３にアクセスして、保存されている分析結果を参照するようにしても良い。或いは、ユーザが健康診断を受診する際に、予め分析処理装置３にアクセスして自身の分析結果を取得し、これを医師等に提示しても良い。
【０１１０】
さらに上述した実施の形態においては、生体データ取得装置２の通信部２３が有線ＬＡＮ又は無線ＬＡＮを利用してネットワーク４との間で情報を送受信する場合について述べた。しかしながら本発明はこれに限らず、例えば上述した４ＧやＷｉＭＡＸ（登録商標）とうの移動通信によりネットワーク４との間で情報を送受信しても良い。或いは、Ｂｌｕｅｔｏｏｔｈ（登録商標）やＺｉｇＢｅｅ（登録商標）等の近距離無線通信により、図示しない中継機器等を介して、ネットワーク４との間で情報を送受信しても良い。
【０１１１】
さらに上述した実施の形態においては、トイレ１０に洋式の便器（洋風便器）が設けられている場合について述べた。しかしながら本発明はこれに限らず、例えば和式の便器（和風便器）や、介護用の便器等、種々の便器が設けられていても良い。
【０１１２】
さらに上述した実施の形態においては、トイレ１０の壁面や便器等に生体データ取得装置２の本体部１１やセンサ部１２等が組み込まれている場合について述べた。しかしながら本発明はこれに限らず、例えば既存のトイレ１０に生体データ取得装置２を構成する各部を後から設置するようにしても良い。この場合、例えば本体部１１やセンサ部１２、及び個人識別センサ１３に相当する各部を一体化し、既存の便器に取り付けるようにしても良く、これにより生体データ取得装置２の設置に要する手間や費用等を抑えることができる。
【０１１３】
さらに上述した実施の形態においては、制御部２１や表示操作部２４等を有する本体部１１をトイレ１０内の壁面に取り付ける場合について述べた。しかしながら本発明はこれに限らず、例えば表示操作部２４のみをトイレ１０内の壁面に設置する一方、制御部２１や記憶部２２等を一体化した室外モジュールを構成し、当該室外モジュールをトイレ１０の室外に設置しても良い。
【０１１４】
さらに上述した実施の形態においては、住宅に設けられたトイレ１０に生体データ取得装置２を設ける場合について述べた。しかしながら本発明はこれに限らず、例えばオフィスや学校等のトイレに生体データ取得装置２を設けても良い。また、男性用の小便器が設けられたトイレに生体データ取得装置２を設けても良い。多くの場合、男性用の小便器には自動的に洗浄するための人感センサが設けられているため、この人感センサを人感センサ１４（図２）の代わりに用いることができる。またこの場合、センサ部１２には、尿に対応した種々のセンサを設ければ良い。
【０１１５】
さらに本発明は、上述した実施の形態及び他の実施の形態に限定されるものではない。すなわち本発明は、上述した実施の形態と上述した他の実施の形態の一部又は全部を任意に組み合わせた実施の形態や、一部を抽出した実施の形態にもその適用範囲が及ぶものである。
【０１１６】
さらに上述した実施の形態においては、生体データ取得装置としての生体データ取得装置２と、分析処理装置としての分析処理装置３とによって生体データ処理システムとしての生体データ処理システム１を構成する場合について述べた。また生体データ取得装置を、識別部としての個人識別センサ１３及び個人識別処理部３５と、センサ部としてのセンサ部１２及びセンサ制御部３３と、記憶部としての記憶部２２と、送信先取得部としての送信先決定部３６と、通信部としての通信部２３及び通信制御部３１とにより構成する場合について述べた。しかしながら本発明はこれに限らず、その他種々の構成でなる生体データ取得装置と、分析処理装置とによって生体データ処理システムを構成しても良い。また生体データ取得装置を、その他種々の構成でなる識別部と、センサ部と、記憶部と、送信先取得部と、通信部とにより構成しても良い。
【産業上の利用可能性】
【０１１７】
本発明は、例えばユーザの生体データを取得して分析処理装置へ送信して分析させる生体データ処理システムで利用できる。
【符号の説明】
【０１１８】
１……生体データ処理システム、２……生体データ取得装置、３……分析処理装置、５……医療機関サーバ装置、１０……トイレ、１１……本体部、１２……センサ部、１３……個人識別センサ、１４……人感センサ、２１……制御部、２２……記憶部、２３……通信部、２４……表示操作部、２５……メモリカード読取部、３１……通信制御部、３２……表示制御部、３３……センサ制御部、３４……登録処理部、３５……個人識別処理部、３６……送信先決定部、３７……予備分析処理部、４１……個人情報データベース、４２……送信先情報データベース、５１……指紋センサ、５２……声紋センサ。
【図１】
2019150139.tif 000003
【図２】
2019150139.tif 000004
【図３】
2019150139.tif 000005
【図４】
2019150139.tif 000006
【図５】
2019150139.tif 000007
【図６】
2019150139.tif 000008
【図７】
2019150139.tif 000009
【図８】
2019150139.tif 000010
【図９】
2019150139.tif 000011
【図１０】
2019150139.tif 000012
【図１１】
2019150139.tif 000013